(57)【特許請求の範囲】
【請求項１】
映像信号の垂直の輪郭成分を抽出し、抽出された成分を用いて映像の垂直輪郭を強調する垂直輪郭補正装置において、入力輝度信号をライン遅延するための１Ｈ遅延器１と、前記入力輝度信号と前記１Ｈ遅延器１で遅延された輝度信号から垂直低域除去を行う垂直ハイパスフィルタと、前記垂直ハイパスフィルタから抽出された垂直輪郭補正成分を１フィールド遅延するフィールドメモリと、前記フィールドメモリによって１フィールド遅延された垂直輪郭補正成分をライン遅延するための１Ｈ遅延器２と、フィールド判別信号によって前記フィールドメモリで１フィールド遅延された垂直輪郭補正成分と前記１Ｈ遅延器２によりライン遅延された垂直輪郭補正成分を切り換えるセレクタと、前記入力輝度信号の垂直輪郭補正成分と前記セレクタによって選択された垂直輪郭補正成分を用いて垂直高域除去を行う垂直ローパスフィルタと、前記垂直ローパスフィルタから抽出された垂直輪郭補正成分と入力輝度信号を加算する加算器を備えることにより、インタレース映像のラインフリッカを目立たせることなく垂直輪郭補正処理を行うことを特徴とした垂直輪郭補正装置。
【請求項２】
請求項１に記載された垂直輪郭補正装置であって、前記垂直ローパスフィルタから抽出された垂直輪郭補正成分に所定の補正量を乗算する乗算器を備えることを特徴とした垂直輪郭補正装置。
【請求項３】
請求項２に記載された垂直輪郭補正装置であって、動き検出信号によって前記垂直ハイパスフィルタから得られた現フィールドの垂直輪郭補正成分と前記垂直ローパスフィルタから得られた垂直輪郭補正成分を切り換えるセレクタを備え、静止画時と動画時で入力輝度信号に加算する垂直輪郭補正成分を切り換えることを特徴とした垂直輪郭補正装置。
【発明の詳細な説明】
【０００１】
【発明の属する技術分野】
本発明は、テレビジョン受信機などで利用される映像信号の垂直輪郭補正に関するものである。
【０００２】
【従来の技術】
図５、図６、図７を用いて従来の垂直輪郭補正装置の一例を説明する。図５のように従来の垂直輪郭補正装置は、入力輝度信号Ｓ１０を１ライン遅延する１Ｈ遅延器１ａ、１ｂと、入力輝度信号Ｓ１０と１Ｈ遅延器１ａ、１ｂで遅延された輝度信号Ｓ１１、Ｓ１２を用いて垂直低域除去を行う垂直ＨＰＦ３と、入力輝度信号Ｓ１０と垂直ＨＰＦ３で得られた垂直輪郭補正成分Ｖ１とを加算する加算器７で構成される。図６のような輝度信号が入力された場合、垂直ＨＰＦ２によって、図７（ａ）のような垂直輪郭補正成分Ｖ１が抽出され、その成分と入力輝度信号を加算器７によって加算し、図７（ｂ）のような輪郭が強調された出力を得ることができる。
【０００３】
【発明が解決しようとする課題】
しかしながら、インタレース信号の場合、同じフィールド内のラインを用いて垂直輪郭補正成分Ｖ１を抽出するため、図６の入力輝度信号と比べ、図７（ｂ）のライン４とライン５や、ライン８とライン９のように奇数フィールドと偶数フィールドの輝度差が大きくなり、ラインフリッカが目立ってしまう。本発明では、フィールドメモリを備えることにより、現フィールドの垂直輪郭補正成分と１フィールド前の垂直輪郭補正成分とでフィルタリングを行い、そこで抽出された垂直輪郭補正成分を用いてインタレースのフリッカを目立たせない垂直輪郭補正処理を行うことを目的とする。
【０００４】
また、図１０のような動画映像に対して、現フィールドの垂直輪郭補正成分と１フィールド前の垂直輪郭補正成分とでフィルタリングして垂直輪郭補正処理を行うと、１フィールド前の映像には垂直輪郭補正成分があり、かつ、現フィールドの映像には垂直輪郭補正成分がない部分である区間ａに対して、垂直輪郭補正処理が行われてしまう。
【０００５】
そこで、動き検出信号によって切り換わるセレクタを備えることにより、静止画映像のみに現フィールドの垂直輪郭補正成分と１フィールド前の垂直輪郭補正成分とでフィルタリングした垂直輪郭補正成分を用いた垂直輪郭補正処理を行う。
【０００６】
または、動画映像には現フィールドの輝度信号のみから抽出した垂直輪郭補正成分を用い、静止画映像には現フィールドの垂直輪郭補正成分と１フィールド前の垂直輪郭補正成分とでフィルタリングした垂直輪郭補正成分を用いて垂直輪郭補正処理を行う。
【０００７】
【課題を解決しようとする手段】
本発明の請求項１に記載の発明は、入力輝度信号をライン遅延するための１Ｈ遅延器１と、入力輝度信号と前記１Ｈ遅延器１で遅延された輝度信号から垂直低域除去を行う垂直ハイパスフィルタと、前記垂直ハイパスフィルタから抽出された垂直輪郭補正成分を１フィールド遅延するフィールドメモリと、前記フィールドメモリによって１フィールド遅延された垂直輪郭補正成分をライン遅延するための１Ｈ遅延器２と、フィールド判別信号によって前記フィールドメモリで１フィールド遅延された垂直輪郭補正成分と１Ｈ遅延器２によりライン遅延された垂直輪郭補正成分を切り換えるセレクタと、入力信号の垂直輪郭補正成分と前記セレクタによって選択された垂直輪郭補正成分を用いて垂直高域除去を行う垂直ローパスフィルタと、前記垂直ローパスフィルタから抽出された垂直輪郭補正成分と入力輝度信号を加算する加算器を備えることにより、インタレース映像のラインフリッカを目立たせることなく垂直輪郭補正処理を行うことを特徴とした垂直輪郭補正装置である。
【０００８】
本発明の請求項２に記載の発明は、請求項１に記載された垂直輪郭補正装置であって、垂直ローパスフィルタから抽出された垂直輪郭補正成分に所定の補正量を乗算する乗算器を備えることを特徴とした垂直輪郭補正装置である。
【００１０】
本発明の請求項３に記載の発明は、請求項２に記載された垂直輪郭補正装置であって、動き検出信号によって垂直ハイパスフィルタから得られた現フィールドの垂直輪郭補正成分と垂直ローパスフィルタから得られた垂直輪郭補正成分を切り換えるセレクタを備え、静止画時と動画時で入力輝度信号に加算する垂直輪郭補正成分を切り換えることを特徴とした垂直輪郭補正装置である。
【００１１】
【発明の実施の形態】
以下に、本発明に記載された実施の形態例を図を用いて説明する。
【００１２】
（実施の形態１）
図１は本発明の第１の発明に記載された実施の形態のブロック図である。入力輝度信号Ｓ１０は１Ｈ遅延器１ａ、１ｂに入力され、入力輝度信号Ｓ１０と１Ｈ遅延器１ａ、１ｂによって遅延された１ライン遅延輝度信号Ｓ１１と２ライン遅延輝度信号Ｓ１２の３ラインを用いて、垂直ＨＰＦ３で垂直輪郭補正成分Ｖ１を抽出する。
【００１３】
抽出した垂直輪郭補正成分Ｖ１をフィールドメモリ４に書き込み、垂直輪郭補正成分Ｖ１に対して（１フィールド−１ライン）遅延した垂直輪郭補正成分Ｖ２０を読み出す。
【００１４】
垂直輪郭補正成分Ｖ２０を１Ｈ遅延器２ａ、２ｂに入力し、垂直輪郭補正成分Ｖ１に対して1フィールド遅延した垂直輪郭補正成分Ｖ２１と（１フィールド＋１ライン）遅延した垂直輪郭補正成分Ｖ２２を得る。ここで、垂直輪郭補正成分Ｖ１を中心として１フィールド前の上下ラインを用いてローパスフィルタをとるが、奇数フィールドの場合と偶数フィールドの場合でローパスフィルタに用いるラインの遅延量が異なる。
【００１５】
図９に示すように奇数フィールドが現フィールドの場合は現フィールドの垂直輪郭補正成分Ｖ１と１フィールド遅延した垂直輪郭補正成分Ｖ２１と（１フィールド＋１ライン）遅延した垂直輪郭補正成分Ｖ２２の３ラインを用い、偶数フィールドが現フィールドの場合は現フィールドの垂直輪郭補正成分Ｖ１と（１フィールド−１ライン）遅延した垂直輪郭補正成分Ｖ２０と１フィールド遅延した垂直輪郭補正成分Ｖ２１の３ラインを用いる。
【００１６】
ラインの切り換えは、例えば奇数ならば１、偶数ならば０というようなフィールド判別信号を用いて、セレクタ５で行う。このようにして選択されたラインを用いて、垂直輪郭補正成分を垂直ＬＰＦ６によってフィルタリングする。
【００１７】
図７（ａ）のような垂直輪郭補正成分に対して、フィルタリング後の垂直輪郭補正成分Ｖ１’は図８（ａ）のようになり、入力輝度信号Ｓ１０と加算器７で加算することで図８（ｂ）のような出力輝度信号Ｓ１０’を得る。
【００１８】
図６の入力信号と比べ、垂直輪郭が強調され、かつ、図７（ｂ）の従来の垂直輪郭補正装置の出力と比べ、ライン４とライン５や、ライン８とライン９との輝度差が小さくなり、ラインフリッカを目立たせることなく垂直輪郭補正処理ができる。
【００１９】
（実施の形態２）
図２は本発明の第２の発明に記載された実施の形態のブロック図である。図１との共通の要素については同じ符号を用いている。実施の形態１で説明した処理により得られた垂直輪郭補正成分Ｖ１’に任意の補正量Ｋを乗算器８で乗算することで、任意のゲインで垂直輪郭が強調された出力輝度信号Ｓ１０’を得ることができる。
【００２０】
（実施の形態３）
図３は本発明の第３の発明に記載された実施の形態のブロック図である。図１、図２との共通の要素については同じ符号を用いている。実施の形態１や実施の形態２で説明した垂直輪郭補正処理を図１０のような動画映像に対して行うと、１フィールド前の映像には垂直輪郭補正成分があり、かつ、現フィールドの映像には垂直輪郭補正成分がない部分である区間ａに対して、垂直輪郭補正処理が行われてしまう。
【００２１】
そこで、例えば静止画は０、動画は１というような動き検出信号によって切り換わるセレクタ９を用いて、静止画時は実施の形態２で説明した垂直輪郭補正処理を行った出力輝度信号Ｓ１０’を選択し、動画時は入力輝度信号Ｓ１０を選択することにより、静止画時のみにラインフリッカを目立たせることなく垂直輪郭補正処理を行うことができる。
【００２２】
（実施の形態４）
図４は本発明の第３の発明に記載された実施の形態のブロック図である。図１、図２との共通の要素については同じ符号を用いている。実施の形態3で説明したように、図１０のような動画映像に対して行うと、１フィールド前の映像には垂直輪郭補正成分があり、かつ、現フィールドの映像には垂直輪郭補正成分がない部分である区間ａに対して、垂直輪郭補正処理が行われてしまう。
【００２３】
そこで、例えば静止画は０、動画は１というような動き検出信号によって切り換わるセレクタ１０を用いて、静止画時は垂直ＬＰＦ６で抽出された垂直輪郭補正成分Ｖ１’を選択し、動画時は垂直ＨＰＦ３で抽出された垂直輪郭補正成分Ｖ１を選択することにより、動画時にも垂直輪郭補正処理を行うことができる。
【００２４】
【発明の効果】
以上のように、本発明の請求項１に記載の発明により、フィールドメモリを用いて１フィールド前の垂直輪郭補正成分を保持し、現フィールドの垂直輪郭補正成分とローパスフィルタをかけることで、インタレース映像に対してラインフリッカを目立たせることなく垂直輪郭補正処理を行うことができる。
【００２５】
本発明の請求項２に記載の発明により、任意の補正量を乗算する乗算器を備えることで、請求項１に記載した垂直輪郭補正処理のゲインを任意に制御することができる。
【００２６】
本発明の請求項３に記載の発明により、静止画時と動画時で出力輝度信号を切り換えるセレクタを備えることで、静止画映像にのみ請求項１に記載した垂直輪郭補正処理を行うことができる。
【００２７】
本発明の請求項４に記載の発明により、静止画時と動画時で入力輝度信号に加算する垂直輪郭補正成分を切り換えるセレクタを備えることで、静止画映像には請求項１に記載した垂直輪郭補正処理を行い、動画映像には同フィールド内のラインから抽出した垂直輪郭補正成分を用いて垂直輪郭補正処理を行うことができる。
【図面の簡単な説明】
【図１】実施の形態１に関するブロック図
【図２】実施の形態２に関するブロック図
【図３】実施の形態３に関するブロック図
【図４】実施の形態４に関するブロック図
【図５】従来例に関するブロック図
【図６】実施の形態１に関する入力輝度信号の例を示す図
【図７】実施の形態１に関する垂直輪郭補正の従来例を示す図
【図８】実施の形態１に関する垂直輪郭補正の例を示す図
【図９】実施の形態１に関する垂直ＬＰＦを説明する図
【図１０】実施の形態３、４に関する動画映像の処理を説明する図
【符号の説明】
１ａ  １Ｈ遅延器
１ｂ  １Ｈ遅延器
２ａ  １Ｈ遅延器
２ｂ  １Ｈ遅延器
３  垂直ＨＰＦ
４  フィールドメモリ
５  セレクタ
６  垂直ＬＰＦ
７  加算器
８  乗算器
９  セレクタ
１０  セレクタ
【図１】
0004470320.tif 000002
【図２】
0004470320.tif 000003
【図３】
0004470320.tif 000004
【図４】
0004470320.tif 000005
【図５】
0004470320.tif 000006
【図６】
0004470320.tif 000007
【図７】
0004470320.tif 000008
【図８】
0004470320.tif 000009
【図９】
0004470320.tif 000010
【図１０】
0004470320.tif 000011